(57)【要約】【課題】ユーザーの生活の快適性の向上に貢献できるような情報を提供できるようにする【解決手段】提言提供システムが、記憶装置５２と、記憶装置５２の読み書き可能なサーバー装置５１と、計測気象データとその計測時間を送信する気象観測装置３０と、を備える。所定の条件と所定の提言とが対応付けられて記憶装置５２に格納されている。サーバー装置５１が、計測気象データ及び計測時間を対応付けて記憶装置５２に蓄積することによって気象データベース９１ａを記憶装置５２に構築するデータロガー６１と、気象データベース９１ａの計測気象データが所定の条件を充足するか否かを判断し、気象データベース９１ａの計測気象データが所定の条件を充足する場合に所定の提言を読み込むアナライザー６６Ａと、アナライザー６６Ａによって読み込まれた所定の提言を端末装置７０に送信するサーバー６９Ａと、を有する。【選択図】図５
2015212657.tif 000002
【特許請求の範囲】
【請求項１】
提言提供システムにおいて、
記憶装置と、
前記記憶装置の読み書き可能なサーバー装置と、
気象データを計測して、その計測気象データとその計測時間を送信する気象観測装置と、を備え、
計測気象データに関する所定の条件と気象に基づく所定の提言とが対応付けられて前記記憶装置に格納され、
前記サーバー装置が、
前記気象観測装置によって送信された計測気象データと計測時間とを対応付けて前記記憶装置に蓄積することによって気象データベースを前記記憶装置に構築する蓄積手段と、
前記気象データベースの計測気象データが前記所定の条件を充足するか否かを判断し、前記気象データベースの計測気象データが前記所定の条件を充足する場合に前記所定の提言を読み込む判別手段と、
前記判別手段によって読み込まれた前記所定の提言を端末装置に送信する送信手段と、を有する
ことを特徴とする提言提供システム。
【請求項２】
請求項１に記載の提言提供システムにおいて、
前記所定の条件は、前記判別手段による判断時における計測気象データが所定の閾値を超え、且つ、前記判別手段による判断時から遡った所定の期間の全ての計測気象データが前記所定の閾値以下であるという条件である
ことを特徴とする提言提供システム。
【請求項３】
請求項１に記載の提言提供システムにおいて、
前記所定の条件は、前記判別手段による判断時から遡った所定の期間の全ての計測気象データが所定の閾値以上又は以下であるという条件である
ことを特徴とする提言提供システム。
【請求項４】
請求項１に記載の提言提供システムにおいて、
前記所定の条件は、前記判別手段による判断時から遡った所定の期間における計測気象データが所定の閾値以上になる回数が所定回数以上であるという条件である
ことを特徴とする提言提供システム。
【請求項５】
請求項１に記載の提言提供システムにおいて、
前記所定の条件は、前記判別手段による判断時から遡った所定の期間の計測気象データが所定の下閾値以上、且つ、それよりも高い所定の上閾値以下になった回数が所定の回数以上であるという条件である
ことを特徴とする提言提供システム。
【請求項６】
請求項１に記載の提言提供システムにおいて、
前記気象観測装置が気象データとして風向及び風速を計測し、
前記所定の条件は、前記判別手段による判断時から遡った所定の期間における計測風向が所定方角である時と同時刻の計測風速が所定の下閾値以上、それよりも高い所定の上閾値以下になった回数が所定の回数以上であるという条件である
ことを特徴とする提言提供システム。
【請求項７】
請求項１に記載の提言提供システムにおいて、
前記気象観測装置が気象データとして気温及び湿度を計測し、
前記所定の条件は、前記判別手段による判断時における計測気温及び計測湿度から求まる不快指数が所定の閾値以下であり、又は以上であるという条件である
ことを特徴とする提言提供システム。
【請求項８】
請求項１に記載の提言提供システムにおいて、
前記所定の条件は、前記判別手段による判断時における計測気象データが所定の閾値以下であるという条件である
ことを特徴とする提言提供システム。
【請求項９】
請求項１に記載の提言提供システムにおいて、
前記所定の条件は、前記判別手段による判断時から遡った所定期間の最小の計測気象データが所定の第一閾値以下であり、且つ、その所定期間の計測気象データの実効値が所定の第二閾値以下であるという条件である
ことを特徴とする提言提供システム。
【請求項１０】
請求項１に記載の提言提供システムにおいて、
前記所定の条件は、過去の所定の日から前記判別手段による判断時までの計測気象データから求められた日ごとの平均値が所定の閾値以上又は以下となる日数が所定数以上であるという条件である
ことを特徴とする提言提供システム。
【請求項１１】
請求項１に記載の提言提供システムにおいて、
前記気象観測装置が気象データとして気圧及び気温を計測し、
前記所定の条件は、前記判別手段による判断時における計測気圧及び計測気温から求まる絶対湿度が所定の下閾値を超え、それよりも高い所定の上閾値以下であるという条件である
ことを特徴とする提言提供システム。
【請求項１２】
請求項１に記載の提言提供システムにおいて、
前記気象観測装置が気象データとして気圧及び気温を計測し、
前記所定の条件は、前記判別手段による判断時における計測気圧及び計測気温から求まる絶対湿度が所定の閾値以下であるという条件である
ことを特徴とする提言提供システム。
【請求項１３】
請求項１に記載の提言提供システムにおいて、
前記気象観測装置が気象データとして気温及び湿度を計測し、
前記所定の条件は、前記判別手段による判断時における計測気温が所定の第一閾値以下であり、且つ、前記判別手段による判断時における計測湿度が所定の第二閾値以下であるという条件である
ことを特徴とする提言提供システム。
【請求項１４】
請求項１から１３の何れか一項に記載の提言提供システムにおいて、
前記サーバー装置が、ユーザーが建物に居ることを表す情報を読み込んだ場合に、前記判別手段を有効化して、ユーザーが建物に居ないことを表す情報を読み込んだ場合に、前記判別手段を無効化する手段を有する
ことを特徴とする請求項１から１３の何れか一項に記載の提言提供システム。
【請求項１５】
請求項１から１４の何れか一項に記載の提言提供システムにおいて、
前記送信手段が、前記判別手段によって読み込まれた提言をポータルサイトに含めて前記端末装置に送信する
ことを特徴とする提言提供システム。
【請求項１６】
請求項１５に記載の提言提供システムにおいて、
前記送信手段は、前記判別手段によって読み込まれた提言に加えて投稿記事を前記ポータルサイトに含めて前記端末装置に送信する
ことを特徴とする提言提供システム。
【請求項１７】
計測気象データに関する所定の条件と気象に基づく所定の提言とが対応付けられて格納された記憶装置の読み書き可能なサーバー装置であって、
気象データを計測して、その計測気象データとその計測時間を送信する気象観測装置によって送信された計測気象データと計測時間とを対応付けて前記記憶装置に蓄積することによって気象データベースを前記記憶装置に構築する蓄積手段と、
前記気象データベースの計測気象データが前記所定の条件を充足するか否かを判断し、前記気象データベースの計測気象データが前記所定の条件を充足する場合に前記所定の提言を読み込む判別手段と、
前記判別手段によって読み込まれた前記所定の提言を端末装置に送信する送信手段と、を備える
ことを特徴とするサーバー装置。
【請求項１８】
計測気象データに関する所定の条件と気象に基づく所定の提言とが対応付けられて格納された記憶装置の読み書き可能なコンピューターを、
気象データを計測して、その計測気象データとその計測時間を送信する気象観測装置によって送信された計測気象データと計測時間とを対応付けて前記記憶装置に蓄積することによって気象データベースを前記記憶装置に構築する蓄積手段、
前記気象データベースの計測気象データが前記所定の条件を充足するか否かを判断し、前記気象データベースの計測気象データが前記所定の条件を充足する場合に前記所定の提言を読み込む判別手段
及び
前記判別手段によって読み込まれた前記所定の提言を端末装置に送信する送信手段
として機能させるプログラム。
【発明の詳細な説明】
【技術分野】
【０００１】
本発明は、気象に基づいた提言を提供する提言提供システム並びにそれに用いられるサーバー装置及びプログラムに関する。
【背景技術】
【０００２】
特許文献１には、造成地を斜めに区画割りして宅地を造成し、建物を敷地形状に合わせて隣地境界線に沿う方向に角度を付けて配置してなる街区の構成について記載されている。このような技術によれば、採光性や通風性等を考慮しつつ、起伏のある外観の街区を形成できるようになっている。
【先行技術文献】
【特許文献】
【０００３】
【特許文献１】特開２００２−２２０９３３号公報
【特許文献２】特開２００２−１４８０６１号公報
【発明の概要】
【発明が解決しようとする課題】
【０００４】
ところで、地域によって自然環境には差があるため、単に敷地形状や建物の向きに一定の規則性を持たせるだけでは、地域ごとの自然環境に対応しにくい場合がある。そこで、ユーザーが地域の自然環境に対応した快適な生活を送ることができるように、地域の自然環境に応じた情報をユーザーに提供することが望まれる。
そこで、本発明の課題は、ユーザーの生活の快適性の向上に貢献できるような情報を提供できるようにすることである。
【課題を解決するための手段】
【０００５】
上記課題を解決するための請求項１に係る発明は、図２及び図５等に示すように、提言提供システムにおいて、記憶装置５２と、前記記憶装置５２の読み書き可能なサーバー装置５１と、気象データを計測して、その計測気象データとその計測時間を送信する気象観測装置３０と、を備え、計測気象データに関する所定の条件と気象に基づく所定の提言とが対応付けられて前記記憶装置５２に格納され、前記サーバー装置５１が、前記気象観測装置３０によって送信された計測気象データと計測時間とを対応付けて前記記憶装置５２に蓄積することによって気象データベース９１ａを前記記憶装置５２に構築する蓄積手段６１と、前記気象データベース９１ａの計測気象データが前記所定の条件を充足するか否かを判断し、前記気象データベース９１ａの計測気象データが前記所定の条件を充足する場合に前記所定の提言を読み込む判別手段６６Ａ（又は６６Ｂ）と、前記判別手段６６Ａ（又は６６Ｂ）によって読み込まれた前記所定の提言を端末装置７０（又は７５）に送信する送信手段６９Ａ（又は６９Ｂ）と、を有することを特徴とする提言提供システムである。
【０００６】
請求項１７に係る発明は、計測気象データに関する所定の条件と気象に基づく所定の提言とが対応付けられて格納された記憶装置５２の読み書き可能なサーバー装置５１であって、気象データを計測して、その計測気象データとその計測時間を送信する気象観測装置３０によって送信された計測気象データと計測時間とを対応付けて前記記憶装置５２に蓄積することによって気象データベース９１ａを前記記憶装置５２に構築する蓄積手段６１と、前記気象データベース９１ａの計測気象データが前記所定の条件を充足するか否かを判断し、前記気象データベース９１ａの計測気象データが前記所定の条件を充足する場合に前記所定の提言を読み込む判別手段６６Ａ（又は６６Ｂ）と、前記判別手段６６Ａ（又は６６Ｂ）によって読み込まれた前記所定の提言を端末装置７０（又は７５）に送信する送信手段６９Ａ（又は６９Ｂ）と、を備えることを特徴とするサーバー装置５１である。
【０００７】
請求項１８に係る発明は、計測気象データに関する所定の条件と気象に基づく所定の提言とが対応付けられて格納された記憶装置５２の読み書き可能なコンピューター５１を、気象データを計測して、その計測気象データとその計測時間を送信する気象観測装置３０によって送信された計測気象データと計測時間とを対応付けて前記記憶装置５２に蓄積することによって気象データベース９１ａを前記記憶装置５２に構築する蓄積手段６１、前記気象データベース９１ａの計測気象データが前記所定の条件を充足するか否かを判断し、前記気象データベース９１ａの計測気象データが前記所定の条件を充足する場合に前記所定の提言を読み込む判別手段６６Ａ（又は６６Ｂ）及び前記判別手段６６Ａ（又は６６Ｂ）によって読み込まれた前記所定の提言を端末装置７０（又は７５）に送信する送信手段６９Ａ（又は６９Ｂ）として機能させるプログラムである。
【０００８】
請求項１，１７，１８に係る発明によれば、気象観測装置３０の設置箇所の気象データが所定の条件を充足すると、気象に基づく提言が端末装置７０（又は７５）に送信されて、その提言が端末装置７０（又は７５）によって出力されるから、その提言を取得したユーザー等がその提言に基づく行動をとることができる。よって、ユーザーの生活の快適性の向上に貢献できる。
【０００９】
請求項２に係る発明は、請求項１に記載の提言提供システムにおいて、前記所定の条件は、前記判別手段６６Ａ（又は６６Ｂ）による判断時における計測気象データが所定の閾値を超え、且つ、前記判別手段６６Ａ（又は６６Ｂ）による判断時から遡った所定の期間の全ての計測気象データが前記所定の閾値以下であるという条件であることを特徴とする提言提供システムである。
【００１０】
請求項２に係る発明によれば、気象観測装置３０の設置された箇所の気象データが過去の所定期間の間継続して所定の閾値以下であり、気象が変化して現在の気象データが所定の閾値を超えれば、それに応じた提言が端末装置７０（又は７５）を持ったユーザーに提供される。
【００１１】
請求項３に係る発明は、請求項１に記載の提言提供システムにおいて、前記所定の条件は、前記判別手段６６Ａ（又は６６Ｂ）による判断時から遡った所定の期間の全ての計測気象データが所定の閾値以上又は以下であるという条件であることを特徴とする提言提供システムである。
【００１２】
請求項３に係る発明によれば、気象観測装置３０の設置された箇所の気象データが過去の所定期間の間継続して所定の閾値以上又は以下であれば、それに応じた提言が端末装置７０（又は７５）を持ったユーザーに提供される。
【００１３】
請求項４に係る発明は、請求項１に記載の提言提供システムにおいて、前記所定の条件は、前記判別手段６６Ａ（又は６６Ｂ）による判断時から遡った所定の期間における計測気象データが所定の閾値以上になる回数が所定回数以上であるという条件であることを特徴とする提言提供システムである。
【００１４】
請求項４に係る発明によれば、気象観測装置３０の設置された箇所の気象データが過去の所定期間の間において所定の閾値以上になることが所定回数あると、それに応じた提言が端末装置７０（又は７５）を持ったユーザーに提供される。
【００１５】
請求項５に係る発明は、請求項１に記載の提言提供システムにおいて、前記所定の条件は、前記判別手段６６Ａ（又は６６Ｂ）による判断時から遡った所定の期間の計測気象データが所定の下閾値以上、且つ、それよりも高い所定の上閾値以下になった回数が所定の回数以上であるという条件であることを特徴とする提言提供システムである。
【００１６】
請求項５に係る発明によれば、気象観測装置３０の設置された箇所の気象データが過去の所定期間の間において所定の下閾値以上且つ所定の上閾値以下になることが所定回数あると、それに応じた提言が端末装置７０（又は７５）を持ったユーザーに提供される。
【００１７】
請求項６に係る発明は、請求項１に記載の提言提供システムにおいて、前記気象観測装置３０が気象データとして風向及び風速を計測し、前記所定の条件は、前記判別手段６６Ａ（又は６６Ｂ）による判断時から遡った所定の期間における計測風向が所定方角である時と同時刻の計測風速が所定の下閾値以上、それよりも高い所定の上閾値以下になった回数が所定の回数以上であるという条件であることを特徴とする提言提供システムである。
【００１８】
請求項６に係る発明によれば、気象観測装置３０の設置された箇所の例えば東風の風速が過去の所定期間の間において所定の下閾値以上且つ所定の上閾値以下になることが所定回数あると、それに応じた提言が端末装置７０（又は７５）を持ったユーザーに提供される。
【００１９】
請求項７に係る発明は、請求項１に記載の提言提供システムにおいて、前記気象観測装置３０が気象データとして気温及び湿度を計測し、前記所定の条件は、前記判別手段６６Ａ（又は６６Ｂ）による判断時における計測気温及び計測湿度から求まる不快指数が所定の閾値以下であり、又は以上であるという条件であることを特徴とする提言提供システムである。
【００２０】
請求項７に係る発明によれば、気象観測装置３０の設置された箇所の不快指数が所定の閾値以上又は以下であると、それに応じた提言が端末装置７０（又は７５）を持ったユーザーに提供される。
【００２１】
請求項８に係る発明は、請求項１に記載の提言提供システムにおいて、前記所定の条件は、前記判別手段６６Ａ（又は６６Ｂ）による判断時における計測気象データが所定の閾値以下であるという条件であることを特徴とする提言提供システムである。
【００２２】
請求項８に係る発明によれば、気象観測装置３０の設置された箇所の気象データが所定の閾値以下であると、それに応じた提言が端末装置７０（又は７５）を持ったユーザーに提供される。
【００２３】
請求項９に係る発明は、請求項１に記載の提言提供システムにおいて、前記所定の条件は、前記判別手段６６Ａ（又は６６Ｂ）による判断時から遡った所定期間の最小の計測気象データが所定の第一閾値以下であり、且つ、その所定期間の計測気象データの実効値が所定の第二閾値以下であるという条件であることを特徴とする提言提供システムである。
【００２４】
請求項９に係る発明によれば、気象観測装置３０の設置された箇所の気象データの過去の所定期間の最小値が第一閾値以下であり、その期間の実効値が第二閾値以下であると、それに応じた提言が端末装置７０（又は７５）を持ったユーザーに提供される。
【００２５】
請求項１０に係る発明は、請求項１に記載の提言提供システムにおいて、前記所定の条件は、過去の所定の日から前記判別手段６６Ａ（又は６６Ｂ）による判断時までの計測気象データから求められた日ごとの平均値が所定の閾値以上又は以下となる日数が所定数以上であるという条件であることを特徴とする提言提供システムである。
【００２６】
請求項１０に係る発明によれば、気象観測装置３０の設置された箇所の気象データの日ごとの平均値が所定の閾値以上又は以下となる日数が所定数以上であると、それに応じた提言が端末装置７０（又は７５）を持ったユーザーに提供される。
【００２７】
請求項１１に係る発明は、請求項１に記載の提言提供システムにおいて、前記気象観測装置３０が気象データとして気圧及び気温を計測し、前記所定の条件は、前記判別手段６６Ａ（又は６６Ｂ）による判断時における計測気圧及び計測気温から求まる絶対湿度が所定の下閾値を超え、それよりも高い所定の上閾値以下であるという条件であることを特徴とする提言提供システムである。
【００２８】
請求項１１に係る発明によれば、気象観測装置３０が設置された箇所の絶対湿度が所定の下閾値を超えて、且つ所定の上閾値以下であると、それに応じた提言が端末装置７０（又は７５）を持ったユーザーに提供される。
【００２９】
請求項１２に係る発明は、請求項１に記載の提言提供システムにおいて、前記気象観測装置３０が気象データとして気圧及び気温を計測し、前記所定の条件は、前記判別手段６６Ａ（又は６６Ｂ）による判断時における計測気圧及び計測気温から求まる絶対湿度が所定の閾値以下であるという条件であることを特徴とする提言提供システムである。
【００３０】
請求項１２に係る発明によれば、気象観測装置３０が設置された箇所の絶対湿度が所定の閾値以下であると、それに応じた提言が端末装置７０（又は７５）を持ったユーザーに提供される。
【００３１】
請求項１３に係る発明は、請求項１に記載の提言提供システムにおいて、前記気象観測装置３０が気象データとして気温及び湿度を計測し、前記所定の条件は、前記判別手段６６Ａ（又は６６Ｂ）による判断時における計測気温が所定の第一閾値以下であり、且つ、前記判別手段６６Ａ（又は６６Ｂ）による判断時における計測湿度が所定の第二閾値以下であるという条件であることを特徴とする提言提供システムである。
【００３２】
請求項１３に係る発明によれば、気象観測装置３０が設置された箇所の気温が第一閾値以下であり、且つ、その箇所の湿度が第二閾値以下であると、それに応じた提言が端末装置７０（又は７５）を持ったユーザーに提供される。
【００３３】
請求項１４に係る発明は、請求項１から１３の何れか一項に記載の提言提供システムにおいて、前記サーバー装置５１が、ユーザーが建物に居ることを表す情報を読み込んだ場合に、前記判別手段６６Ａ（又は６６Ｂ）を有効化して、ユーザーが建物に居ないことを表す情報を読み込んだ場合に、前記判別手段６６Ａ（又は６６Ｂ）を無効化する手段を有することを特徴とする請求項１から１３の何れか一項に記載の提言提供システムである。
【００３４】
請求項１４に係る発明によれば、ユーザーが建物に居なければ、外出していることであり、気象に応じた提言がユーザーにとって不要となるので、そのような場合にはユーザーに提言が提供されないので、ユーザーにとって煩わしさがなくなる。
【００３５】
請求項１５に係る発明は、請求項１から１４の何れか一項に記載の提言提供システムにおいて、前記送信手段６９Ａが、前記判別手段６６Ａによって読み込まれた提言をポータルサイトに含めて前記端末装置７０（又は７５）に送信することを特徴とする提言提供システムである。
【００３６】
請求項１５に係る発明によれば、ユーザーが端末装置７０（又は７５）を用いてポータルサイトを閲覧すれば、提言がユーザーに提供される。つまり、ユーザーが意識してポータルサイトを閲覧しない限り、提言がユーザーに提供されない。
【００３７】
請求項１６に係る発明は、請求項１５に記載の提言提供システムにおいて、前記送信手段６９Ａは、前記判別手段６６Ａによって読み込まれた提言に加えて投稿記事を前記ポータルサイトに含めて前記端末装置７０（又は７５）に送信することを特徴とする提言提供システムである。
【００３８】
請求項１６に係る発明によれば、ユーザーは提言と一緒に投稿記事も取得することができる。
【発明の効果】
【００３９】
本発明によれば、気象に応じた提言がユーザーになされるので、ユーザーの生活の快適性の向上に貢献できる。
【図面の簡単な説明】
【００４０】
【図１】街並構造の平面図である。
【図２】提言提供システムのブロック図である。
【図３】気象観測装置のブロック図である。
【図４】ポータルサイトを示した図面である。
【図５】サーバーシステムのブロック図である。
【発明を実施するための形態】
【００４１】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００４２】
図１は街並構造の平面図である。住宅地１は造成された土地である。この住宅地１の周囲に複数の外部道路１ａが敷設（造成）され、住宅地１がこれら外部道路１ａによって囲まれている。住宅地１は略五角形状に形成されている。住宅地１の北東部には、緑地２が造成されている。この緑地２は、住宅地１の夏季の主風向に面して配置されている。緑地２の西側が境界道路２ａに面し、その境界道路２ａが南北に延びるように敷設されている。境界道路２ａの北端が住宅地１の北側に敷設された外部道路１ａに交差する。緑地２は吹込道路２ｂによって北側の緑地２ｃと南側の緑地２ｄに分断されている。吹込道路２ｂは、境界道路２ａの北端と南端との間において境界道路２ａに交差する。その吹込道路２ｂは、境界道路２ａとの交差点から住宅地１の東側の外部道路１ａの交差点まで東西に延びるように敷設されている。南側緑地２ｄの南部には集会所Ｆが建築されている。住宅地１のうち境界道路２ａよりも西側の領域に複数の街路３〜９が敷設（造成）され、境界道路２ａよりも西側の領域が街路３〜９によって複数の街区１１〜１５に区画されている。街区１１，１２，１３，１４，１５には、複数の建物Ａ、建物Ｂ、建物Ｃ、建物Ｄ及び建物Ｅがそれぞれ建設されている。建物Ａ、建物Ｂ、建物Ｃ、建物Ｄ及び建物Ｅは例えば戸建て住宅である。建物Ａ、建物Ｂ、建物Ｃ、建物Ｄ及び建物Ｅの屋根のそれぞれに、太陽電池アレイ１６が設置されている。集会所Ｆの屋根にも太陽電池アレイ１６が設置されている。また、街区１２には、通風路２０が形成されている。この通風路は、複数の建物Ｂのうち街路４に沿って配列された建物Ｂと、街路５に沿って配列された建物Ｂとの間に形成されている。街区１３にも通風路２０が形成されている。通風路２０は、建物Ｃの間に形成されている。
【００４３】
この住宅地１には、図２に示すような提言提供システムが採用されている。この提言提供システムは気象観測装置３０、サーバーシステム５０、複数の据付端末装置７０、在・不在入力部７１及び携帯端末装置７５を備える。据付端末装置７０、在・不在入力部７１及び携帯端末装置７５の数は単数であってもよい。
【００４４】
気象観測装置３０は緑地２に設置されている。この気象観測装置３０は、気象データ（気象に関する物理量）を計測して、計測気象データとその計測時刻を対応付けて、計測気象データ及び計測時刻をサーバーシステム５０に送信する。気象データとしては、気温、湿度、気圧、風速、風向、降雨量及び日射量がある。
【００４５】
図３は、気象観測装置３０のブロック図である。
図３に示すように、気象観測装置３０は温度センサー３１、湿度センサー３２、気圧センサー３３、風速センサー３４、風向センサー３５、降雨量センサー３６、日射量センサー３７及び制御回路４０及び送信機４１を備える。
【００４６】
温度センサー３１は、気温を電気信号に変換することによって気温を計測して、計測気温を制御回路４０に出力する。
湿度センサー３２は、湿度を電気信号に変換することによって湿度を計測して、計測湿度を電気信号として制御回路４０に出力する。
気圧センサー３３は、気圧を電気信号に変換することによって気圧を計測して、計測気圧を電気信号として制御回路４０に出力する。
風速センサー３４は、風速を電気信号に変換することによって風速を計測して、計測風速を電気信号として制御回路４０に出力する。
風向センサー３５は、風向を電気信号に変換することによって風向を計測して、計測風向を電気信号として制御回路４０に出力する。なお、風向は４ビットのデータ（１６段階のデータ）であることが好ましい、具体的には風向は「東風」、「西風」、「北風」、「南風」、「北東の風」、「南東の風」、「北西の風」、「南西の風」、「東北東の風」、「北北東の風」、「西北西の風」、「北北西の風」、「東南東の風」、「南南東の風」、「西南西の風」、「南南西の風」を取り得る。
降雨量センサー３６は、降雨量を電気信号に変換することによって降雨量を計測して、計測降雨量を電気信号として制御回路４０に出力する。
日射量センサー３７は、日射量を電気信号に変換することによって日射量を計測して、計測日射量を電気信号として制御回路４０に出力する。
制御回路４０は、温度センサー３１から入力した計測気温の信号処理（増幅・離散化・演算等）を行うことによって計測気温とその計測時刻を対応付け、対応付けされた計測気温と計測時刻を送信機４１に出力する。湿度センサー３２、気圧センサー３３、風速センサー３４、風向センサー３５、降雨量センサー３６及び日射量センサー３７によって計測された気象データ（計測湿度、計測気圧、計測風速、計測風向、計測降雨量及び計測日射量）についても同様である。
送信機４１は、有線又は無線によって計測気温及びその計測時刻をサーバーシステム５０に送信する。湿度センサー３２、気圧センサー３３、風速センサー３４、風向センサー３５、降雨量センサー３６及び日射量センサー３７によって計測された気象データ（計測湿度、計測気圧、計測風速、計測風向、計測降雨量及び計測日射量）についても同様である。なお、送信機４１とサーバーシステム５０の通信規格は特に限定するものではない。
【００４７】
図２に示すように、据付端末装置７０は、ユーザーによって利用されるユーザー端末装置である。据付端末装置７０は建物Ａ、建物Ｂ、建物Ｃ、建物Ｄ及び建物Ｅにそれぞれ据え付けられている。据付端末装置７０は表示装置、入力装置及びマイクロプロセッサー等を有するコンピューターである。例えば、据付端末装置７０は専用コンピューター又は汎用コンピューター（例えばデスクトップ型パーソナルコンピューター）である。
【００４８】
建物Ａ〜Ｅにはそれぞれの建物Ａ〜Ｅの電力等のエネルギーを管理するホームマネージメントシステムが設置されており、据付端末装置７０がホームマネージメントシステムに利用される。据付端末装置７０によって各建物Ａ〜Ｅ内の各種電気機器等の制御を行えたり、各建物Ａ〜Ｅ内の各種電気機器の総消費電力量を計測したり、各建物Ａ〜Ｅ内の太陽電池アレイ１６によって発電された発電電力量を計測したりする。
【００４９】
在・不在入力部７１は、建物Ａ、建物Ｂ、建物Ｃ、建物Ｄ及び建物Ｅにそれぞれ据え付けられている。在・不在入力部７１は据付端末装置７０に接続されている。在・不在入力部７１は、ユーザーがそれぞれの建物Ａ、建物Ｂ、建物Ｃ、建物Ｄ及び建物Ｅに居るか否かを表す在・不在情報を入力するものである。例えば、在・不在入力部７１はスイッチ、人感センサー等である。在・不在入力部７１によって入力された在・不在情報は据付端末装置７０に転送され、その情報が据付端末装置７０によってサーバー装置５１に送信される。
【００５０】
携帯端末装置７５は、ユーザーによって利用されるユーザー端末装置である。携帯端末装置７５は表示装置、入力装置及びマイクロプロセッサー等を有するコンピューターである。例えば、携帯端末装置７５は、携帯電話機（例えば、スマートフォン、フューチャーフォン）、ＰＤＡ（Personal Digital Assistant）、ラップトップ型パーソナルコンピューター、パームトップ型パーソナルコンピューター、タブレット型パーソナルコンピューター等である。
【００５１】
据付端末装置７０及び携帯端末装置７５は、インターネットプロトコル等の通信規格によってインターネットを介してサーバーシステム５０と相互接続して、通信を行える。据付端末装置７０は、計測した消費電力量及び発電電力量をその計測時刻に対応付けて、消費電力量、発電電力量及び計測時刻をサーバーシステム５０に送信する。また、据付端末装置７０及び携帯端末装置７５には、サーバーシステム５０によって送信された情報を表示して、その情報の閲覧に供する閲覧ソフトウエア（例えば、ブラウザー）が内蔵されている。
【００５２】
以下、据付端末装置７０によってサーバーシステム５０にアクセスした場合の説明を行うが、携帯端末装置７５によってサーバーシステム５０にアクセスした場合についても同様である。つまり、以下の全ての説明において「据付端末装置７０」を「携帯端末装置７５」に読み替えてもよい。
【００５３】
サーバーシステム５０は、据付端末装置７０からアクセスされることで、据付端末装置７０に各種コンテンツ（コンテンツは住宅地１に関連するものである）を配信するサーバーシステムである。例えば、サーバーシステム５０は、ＨＴＴＰに基づいて据付端末装置７０に各種コンテンツを配信するウェブサーバーとしての機能を有する。一例を挙げると、サーバーシステム５０は、住宅地１の気象情報、提言（気象データに基づくアドバイス）、天気予報、発電電力量情報、消費電力量情報及び掲示板（回覧板）の各種コンテンツを含むポータルサイトを据付端末装置７０を配信する。ポータルサイトが据付端末装置７０に配信されると、図４に示すようなポータルサイトが据付端末装置７０に表示される。ここで、サーバーシステム５０は、据付端末装置７０によってアクセスされた場合に、アクセス権限を有するユーザーカウントにのみに図４に示すポータルサイトを提供する。具体的には、据付端末装置７０に表示されたログイン画面においてユーザーＩＤ及びパスワードを入力し、入力されたユーザーＩＤ及びパスワードが据付端末装置７０によってサーバーシステム５０に送信され、そのユーザーＩＤ及びパスワードとユーザーデータベースがサーバーシステム５０によって照合されることによってそのユーザーＩＤ及びパスワードの真偽が判断され、そのユーザーＩＤ及びパスワードが真正であれば、図４に示すようなポータルサイトがサーバーシステム５０によって据付端末装置７０に配信される。
【００５４】
図４に示すようにコンテンツ９１〜９５がポータルサイトに含まれている。
コンテンツ９１は、気象観測装置３０によって計測された住宅地１の気象データである。特に、据付端末装置７０によってサーバーシステム５０にアクセスした時における最新の気象データがコンテンツ９１としてポータルサイトに表示される。コンテンツ９１の気象データは、気温、湿度、降雨量、風向及び風速である。なお、これらのうち少なくとも一つがコンテンツ９１に含まれていればよい。勿論、他の気象データがコンテンツ９１に含まれてもよい。
【００５５】
コンテンツ９２は、気象観測装置３０によって計測された気象データに基づく提言（アドバイス）である。
コンテンツ９３は、住宅地１の向こう２４時間の天気予報である。具体的には、予想天気、予想最高気温、予想採点気温、予想湿度及び予想降水確率がコンテンツ９３としてポータルサイトに表示される。
コンテンツ９４は、住宅地１における過去２４時間の発電電力量及び消費電力量と時刻との関係を表したグラフである。
コンテンツ９５は、掲示板である。コンテンツ９５の掲示板に投稿できるユーザーアカウントは管理者権限を有するアカウントである。
【００５６】
図５に示すブロック図を参照して、サーバーシステム５０について詳細に説明する。
サーバーシステム５０はサーバー装置５１、記憶装置５２、受信機５５及び通信機５６等を備える。
【００５７】
サーバー装置５１は、一台又は複数台のコンピューター（コンピューターはシングルプロセッサータイプ、マルチプロセッサータイプ又はマルチコアプロセッサータイプのコンピューターである）によって演算処理を行うコンピューターシステムである。
記憶装置５２は、一又は複数のハードディスクドライブ、不揮発性半導体メモリーその他の読み書き可能な記憶媒体からなる。記憶装置５２は、サーバー装置５１によって読み書き可能である。
受信機５５は気象観測装置３０の送信機４１によって送信された計測気象データ及び計測時刻を受信して、計測気象データ及び計測時刻をサーバー装置５１に転送する。
通信機５６は、インターネットプロトコル等の通信規格によってインターネットを通じて据付端末装置７０と相互接続して、通信を行う装置である。
【００５８】
記憶装置５２には、ユーザーデータベース５４が格納されている。ユーザーデータベース５４は、ユーザーアカウント毎に設定されたデータからなる。具体的には、ユーザーデータベース５４は、複数の真正なユーザーＩＤと、これら真正ユーザーＩＤにそれぞれ対応付けられた真正なパスワードと、これら真正ユーザーＩＤにそれぞれ対応付けられた在・不在情報と、これら真正ユーザーＩＤにそれぞれ対応付けられたアクセス権限情報とからなる。ここで、在・不在情報は、据付端末装置７０からサーバー装置５１に送信されてそのサーバー装置５１によって格納されたものである。
記憶装置５２には、コンテンツ９３の天気予報情報９３ａが格納されている。天気予報情報９３ａは、管理者権限を有するアカウントによって登録されたものであるか、サーバー装置５１が自動取得プログラムに従ってインターネットから自動的に取得したものである。
記憶装置５２には、プログラム５３が格納されている。このプログラム５３は次のような処理をサーバー装置５１に行わせる。
【００５９】
〔気象データのデータロガー（蓄積手段）６１としての処理〕
サーバー装置５１は、気象観測装置３０から計測気象データ（計測気温、計測湿度、計測湿度、計測気圧、計測風速、計測風向、計測降雨量及び計測日射量）及び計測時刻を受信したら、その計測気象データと計測時刻を対応付けて記憶装置５２に記録する。これにより、計測気象データ及び計測時刻のデータ列からなる計測気象データベース９１ａが構築される。
【００６０】
〔電力量のデータロガー（蓄積手段）６２としての処理〕
サーバー装置５１は、各建物Ａ〜Ｅの据付端末装置７０から消費電力量、発電電力量及び計測時刻を受信したら、その消費電力量及び発煙電力量を計測時刻に対応付けて記憶装置５２に記録する。これにより、記憶装置５２には、消費電力量、発電電力量及び計測時刻のデータ列からなる電力量データベース９４ａが構築される。
【００６１】
〔気象データのリーダー（読込手段）６３としての処理〕
サーバー装置５１は、記憶装置５２に構築されていく計測気象データベース９１ａの中から現在（最新）の計測気象データ（具体的には、計測気温、計測湿度、計測降雨量、計測風向及び計測風速）を読み込む。
【００６２】
〔電力量のリーダー（読込手段）６４としての処理〕
サーバー装置５１は、記憶装置５２に構築されていく電力量データベース９４ａの中から過去２４時間及び現在（最新）の消費電力量及び発電電力量を読み込む。読込のタイミングは、据付端末装置７０によってアクセスされて、据付端末装置７０によって入力されたユーザーＩＤ及びパスワードと記憶装置５２に格納されたユーザーデータベース５４とに基づいてユーザーアカウントの認証が行われた時である。
【００６３】
〔天気予報のリーダー（読込手段）６５としての処理〕
サーバー装置５１は、記憶装置５２に格納された天気予報情報９３ａを読み込む。読込のタイミングは、据付端末装置７０によってアクセスされて、据付端末装置７０によって入力されたユーザーＩＤ及びパスワードと記憶装置５２に格納されたユーザーデータベース５４とに基づいてユーザーアカウントの認証が行われた時である。
【００６４】
〔計測気象データのアナライザー（判別手段）６６Ａとしての処理〕
サーバー装置５１は、記憶装置５２に構築されていく計測気象データベース９１ａの計測気象データが所定の条件を満たしている否かを判別し、その所定の条件が充足した場合にはその所定の条件に応じた提言を設定する。
【００６５】
サーバー装置５１がアナライザー６６Ａとしての判別を行うタイミングは、据付端末装置７０によってアクセスされて、据付端末装置７０によって入力されたユーザーＩＤ及びパスワードと記憶装置５２に格納されたユーザーデータベース５４とに基づいてユーザーアカウントの認証が行われた時である。但し、認証されたユーザーアカウントの在・不在情報がユーザーの不在（ユーザーが建物に居ないこと）を表すものである場合には、アナライザー６６Ａとしての判別が無効化されて行われず、認証されたユーザーアカウントの在・不在情報がユーザーの在（ユーザーが建物に居ること）を表すものである場合には、アナライザー６６Ａとしての判別が有効化されて行う。
以下、サーバー装置５１がアナライザー６６Ａとしての判別を行うタイミングを現在時刻といい、最新の計測気象データとは現在時刻における最新の計測気象データのことをいう。
【００６６】
条件の充足性の判別に利用する条件は複数あり、これら条件毎に提言が対応付けられて記憶装置５２に格納されている。つまり、記憶装置５２に格納された条件・提言データベース９２ａは、複数の所定の条件と、これら所定の条件にそれぞれ対応付けられた複数の所定の提言とを有する。サーバー装置５１は、これら所定の条件毎の判別処理を並行して行う。なお、条件・提言データベース９２ａがプログラム５３に組み込まれていてもよい。
【００６７】
条件・提言データベース９２ａにおいては、有効・無効を表す複数のフラグがこれら所定の条件（上記具体例１〜具体例１７参照）に対応付けられている。このフラグは、ユーザーが据付端末装置７０によって設定されたものである。無効フラグに対応付けられた条件は無効化されて、サーバー装置５１がその条件に基づく判断を行いが、有効フラグに対応付けられた条件は有効化されて、サーバー装置５１がその条件に基づく判断を行う。従って、ユーザーは、据付端末装置７０を用いてフラグを有効又は無効に設定することによって、必要な提言を有効化して、不要な提言を無効化することができる。
【００６８】
条件・提言データベース９２ａに含まれる複数の所定の条件は第一のグループ及び第二のグループに分けられている。第一のグループが第二のグループよりも優先度が高い。つまり、まず、サーバー装置５１は、第一のグループに属する条件に基づく判別を行う。そして、第一のグループに属する条件の何れもが充足しなかった場合には、サーバー装置５１が第二のグループに属する条件に基づく判別を行う。
【００６９】
所定の条件は計測気象データに関するものであり、所定の提言は気象に基づくものである。以下、具体例１〜具体例１０を挙げて、第一のグループに含まれる条件及び提言について説明するとともに、条件に当て嵌める計測気象データについて説明する。
【００７０】
・具体例１
条件に当て嵌める計測気象データ：計測降雨量
条件：現在時刻から遡って所定期間（例えば、１時間）の全ての計測降雨量が所定の閾値（例えば、０ｍｍ）以下であり、且つ、現在時刻における計測降雨量が所定の閾値（例えば、０ｍｍ）を超えるという条件
提言：洗濯物を取り込むべき旨
制限：上述の条件が１日の間に５回充足された場合には、この条件が無効化されて、サーバー装置５１がこの条件に基づく判断を行わない。無効化の解除条件（有効化条件）は所定の時刻（例えば、２４時０分）を超えることである。
【００７１】
・具体例２
条件に当て嵌める計測気象データ：計測気温
条件：現在時刻から遡って所定期間（例えば、３時間）及び現在時刻の全ての計測気温が所定の閾値（例えば、３℃）以下であるという条件
提言：凍結を注意すべき旨
制限：上述の条件が１日（但し、深夜の時間帯を除く。）の間に１回充足された場合には、この条件が無効化されて、サーバー装置５１がこの条件に基づく判断を行わない。無効化の解除条件（有効化条件）は所定の時刻（例えば、５時０分）を超えることである。
【００７２】
・具体例３
条件に当て嵌める計測気象データ：計測風速
条件：現在時刻から遡って所定期間（例えば、３０分間）及び現在時刻の計測風速が所定の閾値（例えば、３．５ｍ／ｓ）以上になる回数が所定の回数（例えば、１回）以上であるという条件
提言：強風に注意すべき旨若しくは洗濯物を室内で干すべき旨又はこれらの両方
制限１：上述の条件が６時から１２時の間に１回充足された場合には、この条件が無効化されて、サーバー装置５１がこの条件に基づく判断を行わず、その無効化の解除条件は１２時０分を超えることである。
制限２：上述の条件が１２時から１８時の間に１回充足された場合には、この条件が無効化されて、サーバー装置５１がこの条件に基づく判断を行わず、その無効化の解除条件は１８時を超えることである。
【００７３】
・具体例４
条件に当て嵌める計測気象データ：計測風速
条件：現在事項から遡って所定期間（例えば、３０分間）及び現在時刻の計測風速が所定の下閾値（例えば、１．５ｍ／ｓ）以上であり、且つその下閾値よりも高い所定の上閾値（例えば、３．４ｍ／ｓ）以下になる回数が所定の回数（例えば、５回）以上であるという条件
提言：良い風が吹いている旨若しくは省エネ目的で外気を取り込む旨又はこれらの両方
制限１：現在時刻における計測気温が所定の上閾値（例えば、２０℃）以上、且つそれよりも高い所定の上閾値（例えば、２８℃）である場合であって、且つ、現在時刻における計測降雨量が所定の値（例えば、０ｍｍ）である場合には、上述の条件に基づく判断が行われ、それ以外の場合には、上述の条件に基づく判断が行われない。
制限２：上述の条件が６時から１２時の間に１回充足された場合には、この条件が無効化されて、サーバー装置５１がこの条件に基づく判断を行わず、その無効化の解除条件は１２時を超えることである。
制限３：上述の条件が１２時から１８時の間に１回充足された場合には、この条件が無効化されて、サーバー装置５１がこの条件に基づく判断を行わず、その無効化の解除条件は１８時を超えることである。
【００７４】
・具体例５
条件に当て嵌める計測気象データ：計測風速及び計測風向
条件：現在時刻から遡って所定期間（例えば、３０分間）及び現在時刻における計測風速が「東風」である時と同時刻の計測風速が所定の下閾値（例えば、１．５ｍ／ｓ）以上であり、且つその下閾値よりも高い所定の上閾値（例えば、３．４ｍ／ｓ）以下になる回数が所定の回数（例えば、５回）以上であるという条件
提言：良い風が吹いている旨及び東側の窓を開くべき旨
制限１：現在時刻における計測気温が所定の上閾値（例えば、２０℃）以上、且つそれよりも高い所定の上閾値（例えば、２８℃）である場合であって、且つ、現在時刻における計測降雨量が所定の値（例えば、０ｍｍ）である場合には、上述の条件に基づく判断が行われ、それ以外の場合には、上述の条件に基づく判断が行われない。
制限２：上述の条件が６時から１２時の間に１回充足された場合には、この条件が無効化されて、サーバー装置５１がこの条件に基づく判断を行わず、その無効化の解除条件は１２時を超えることである。
制限３：上述の条件が１２時から１８時の間に１回充足された場合には、この条件が無効化されて、サーバー装置５１がこの条件に基づく判断を行わず、その無効化の解除条件は１８時を超えることである。
【００７５】
なお、現在時刻から遡って所定期間（例えば、３０分間）及び現在時刻における計測風速が「西風」、「北風」、「南風」、「北東の風」、「南東の風」、「北西の風」、「南西の風」、「東北東の風」、「北北東の風」、「西北西の風」、「北北西の風」、「東南東の風」、「南南東の風」、「西南西の風」又は「南南西の風」である時と同時刻の計測風速についても同様である。その場合、提言において開くべき窓の方角は計測風速の方角である。
【００７６】
・具体例６
条件に当て嵌める計測気象データ：計測気温及び計測湿度
条件：現在時刻における計測気温及び計測湿度から求まる不快指数が所定の閾値（例えば６０）以下であるという条件
提言：寒い旨
制限１：上述の条件が６時から１２時の間に１回充足された場合には、この条件が無効化されて、サーバー装置５１がこの条件に基づく判断を行わず、その無効化の解除条件は１２時を超えることである。
制限２：上述の条件が１２時から１８時の間に１回充足された場合には、この条件が無効化されて、サーバー装置５１がこの条件に基づく判断を行わず、その無効化の解除条件は１８時を超えることである。
備考：不快指数＝0.81×計測気温＋0.01×計測湿度×(0.99×計測気温−14.3)×46.3
【００７７】
・具体例７
条件に当て嵌める計測気象データ：計測気温及び計測湿度
条件：現在時刻における計測気温及び計測湿度から求まる不快指数が所定の閾値（例えば８０）以上であるという条件
提言：暑い旨
制限１：上述の条件が充足された場合にはこの条件が無効化されて、その後サーバー装置５１がこの条件に基づく判断を行わず、その充足時から１時間経過後に無効化が解除される。
制限２：上述の条件が１２時から１８時の間に１回充足された場合には、この条件が無効化されて、サーバー装置５１がこの条件に基づく判断を行わず、その無効化の解除条件は１８時を超えることである。
備考：不快指数＝0.81×計測気温＋0.01×計測湿度×(0.99×計測気温−14.3)×46.3
【００７８】
・具体例８
条件に当て嵌める計測気象データ：計測湿度
条件：現在時刻における計測湿度が所定の閾値（例えば、６０％）以下であるという条件
提言：肌の乾燥を注意すべき旨
制限１：６月から８月の間は上述の条件が無効化されて、サーバー装置５１がこの条件に基づく判断を行わない。９月から５月の間は上述の条件が有効化され、サーバー装置５１がこの条件に基づく判断を行う。
制限２：上述の条件が９月から５月の間に１回充足された場合には、この条件が無効化されて、サーバー装置５１がこの条件に基づく判断を行わず、その無効化の解除条件は９月１日０時０分を超えることである。
【００７９】
・具体例９
条件に当て嵌める計測気象データ：計測湿度
条件：現在時刻から遡った所定期間（例えば、１日間）の最小の計測湿度が所定の第一閾値（例えば、２５％）以下であり、且つ、その所定期間の計測湿度の実効値が所定の第二閾値（例えば、５０％）以下であるという条件
提言：空気が乾燥している旨若しくは火の元を注意すべき旨又はこれらの両方
制限１：６月から８月の間は上述の条件が無効化されて、サーバー装置５１がこの条件に基づく判断を行わない。９月から５月の間は上述の条件が有効化され、サーバー装置５１がこの条件に基づく判断を行う。
制限２：上述の条件が９月から５月の間に１回充足された場合には、この条件が無効化されて、サーバー装置５１がこの条件に基づく判断を行わず、その無効化の解除条件は９月１日０時０分を超えることである。
【００８０】
続いて、具体例１０〜具体例１８を挙げて、第二のグループに含まれる条件と提言について説明する。
【００８１】
・具体例１０
条件に当て嵌める計測気象データ：計測気温
条件：過去の所定の日（例えば、９月１日）から現在時刻までの計測気温から求められる日ごとの平均値が所定の閾値（例えば、２０℃）以下となる日数が所定数（例えば、３日）以上であるという条件
提言：衣替えをすべき旨
制限１：１２月から８月の間は上述の条件が無効化されて、サーバー装置５１がこの条件に基づく判断を行わない。９月から１１月の間は上述の条件が有効化され、サーバー装置５１がこの条件に基づく判断を行う。
制限２：上述の条件が９月から１１月の間に１回充足された場合には、この条件が無効化されて、サーバー装置５１がこの条件に基づく判断を行わず、その無効化の解除条件は９月１日０時０分を超えることである。
【００８２】
・具体例１１
条件に当て嵌める計測気象データ：計測気温
条件：過去の所定の日（例えば、３月１日）から現在時刻までの計測気温から求められる日ごとの平均値が所定の閾値（例えば、１８℃）以上となる日数が所定数（例えば、３日）以上であるという条件
提言：衣替えをすべき旨
制限１：６月から２月の間は上述の条件が無効化されて、サーバー装置５１がこの条件に基づく判断を行わない。３月から５月の間は上述の条件が有効化され、サーバー装置５１がこの条件に基づく判断を行う。
制限２：上述の条件が３月から５月の間に１回充足された場合には、この条件が無効化されて、サーバー装置５１がこの条件に基づく判断を行わず、その無効化の解除条件は３月１日０時０分を超えることである。
【００８３】
・具体例１２
条件に当て嵌める計測気象データ：計測気温
条件：過去の所定の日（例えば、９月１日）から現在時刻までの計測気温から求められる日ごとの平均値が所定の閾値（例えば、１５℃）以下となる日数が所定数（例えば、７日）以上であるという条件
提言：暖房器具の準備をすべき旨
【００８４】
・具体例１３
条件に当て嵌める計測気象データ：計測気温
条件：過去の所定の日（例えば、３月１日）から現在時刻までの計測気温から求められる日ごとの平均値が所定の閾値（例えば、１５℃）以上となる日数が所定数（例えば、７日）以上であるという条件
提言：暖房器具を収納すべき旨
【００８５】
・具体例１４
条件に当て嵌める計測気象データ：計測降雨量
条件：現在時刻から遡って所定期間（例えば、３日間）及び現在時刻の全ての計測降雨量が所定の閾値（例えば、０ｍｍ）以下であるという条件
提言：打ち水をすべきタイミングに適している旨
【００８６】
・具体例１５
条件に当て嵌める計測気象データ：計測気温及び計測湿度
条件：現在時刻の計測気温及び計測湿度から次の式ａ〜式ｃに基づいて算出された絶対湿度が所定の閾値以下（例えば、７ｇ）である場合
式ａ：絶対湿度＝飽和水蒸気量×計測湿度
式ｂ：飽和水蒸気量＝0.62198×気圧／（1013.25−気圧）
式ｃ：気圧＝6.11×10（7.5×気温／237.3＋気温）
提言：インフルエンザに警戒すべき旨
制限：上述の条件が充足された場合には、それ時以降この条件が無効化されて、サーバー装置５１がこの条件に基づく判断を行わず、その無効化の解除条件は条件充足時から所定期間（例えば、１２時間）経過したことである。
【００８７】
・具体例１６
条件に当て嵌める計測気象データ：計測気温及び計測湿度
条件：現在時刻の計測気温及び計測湿度から上記式ａ〜式ｃに基づいて算出された絶対湿度が所定の下閾値（７ｇ）を超え、且つ、それよりも高い所定の上閾値（１１ｇ）以下であるという条件
提言：インフルエンザに注意すべき旨
制限：上述の条件が充足された場合には、それ時以降この条件が無効化されて、サーバー装置５１がこの条件に基づく判断を行わず、その無効化の解除条件は条件充足時から所定期間（例えば、１２時間）経過したことである。
【００８８】
・具体例１７
条件に当て嵌める計測気象データ：計測気温
条件：現在時刻における計測気温が所定の第一閾値（例えば、１８℃）以下であり、且つ、現在時刻における計測湿度が所定の第二閾値（例えば、４０％）以下であるという条件
提言：風邪・感冒に注意すべき旨
制限：上述の条件が充足された場合には、それ時以降この条件が無効化されて、サーバー装置５１がこの条件に基づく判断を行わず、その無効化の解除条件は条件充足時から所定期間（例えば、２４時間）経過したことである。
【００８９】
〔月間提言設定部６７〕
記憶装置５２に構築されていく計測気象データベース９１ａの計測気象データが第一のグループに属する条件及び第二のグループに属する条件の何れも充足しなかった場合、サーバー装置５１は現在時刻が属する月に応じた提言を設定する。ここで、アナライザー６６Ａの処理が無効化された場合、この月間提言設定部６７の処理も無効化され、アナライザー６６Ａの処理が有効化された場合、この月間提言設定部６７の処理も有効化される。
【００９０】
提言は、提言データベース９２ｂとして記憶装置５２に格納されている。提言データベース９２ｂは、複数の月及び提言からなるとともに、これら月と提言が一対一で対応付けられている。サーバー装置５１は、現在時刻が属する月に応じた提言を提言データベース９２ｂから検索する。
【００９１】
具体例１８〜具体例２２を挙げて、提言データベース９２ｂに含まれる月と提言について説明する。
【００９２】
・具体例１８
月：３月
提言：風邪が強くなる時期である旨若しくは洗濯物をきちんと止めるべきか洗濯物を室内で干すべき旨又はこれらの両方
【００９３】
・具体例１９
月：３月
提言：室温が徐々に上昇する旨若しくは冷蔵庫の温度調整をすべき旨又はこれらの両方
【００９４】
・具体例２０
月：５月
提言：梅雨の前に雨具を点検すべき旨若しくは湿気対策をすべき旨又はこれらの両方
【００９５】
・具体例２１
月：６月
提言：晴れた日にまな板若しくは布巾又はこれらの両方を天日干しすべき旨
【００９６】
・具体例２２
月：６月
提言：洗濯物の湿気取りにアイロンを活用すべき旨
【００９７】
〔掲示板の投稿記事のリーダー６８としての読込処理〕
サーバー装置５１は、記憶装置５２に構築された投稿記事データベース９５ａから投稿記事を読み込む。ここで、投稿記事データベース９５ａは、複数の投稿記事と投稿日時と投稿者とを対応付けてなるデータベースである。管理者権限を有するアカウントによって構築されたものである。つまり、管理者権限を有するアカウントによって投稿された記事がその投稿日時とそのアカウントのユーザーＩＤに対応付けられて記憶装置５２に記録されることによって、投稿記事データベース９５ａが構築される。
サーバー装置５１が投稿記事を読み込むタイミングは、据付端末装置７０によってアクセスされて、ユーザーアカウントの認証が行われた時である。
【００９８】
〔統合的なサーバー（例えば、ウェブサーバー）６９Ａとしての処理〕
据付端末装置７０によるアクセスがサーバー装置５１によって検知されたら、サーバー装置５１が気象データリーダー６３、電力量リーダー６４、天気予報リーダー６５、アナライザー６６Ａ、月間提言設定部６７及び投稿記事リーダー６８としての処理を並行して行う。これにより、過去２４時間及び現在（最新）の消費電力量及び発電電力量がサーバー装置５１によって読み込まれ、現在（最新）の計測気象データがサーバー装置５１によって読み込まれ、更に、天気予報情報９３ａ、提言及び投稿記事もサーバー装置５１によって読み込まれる。
【００９９】
そして、サーバー装置５１は、読み込んだ提言、投稿記事及び現在計測気象データ並びに過去２４時間及び現在の消費電力量及び発電電力量を据付端末装置７０に送信する。具体的には、サーバー装置５１は、読み込んだ現在の気象データをコンテンツ９１として、読み込んだ提言をコンテンツ９２として、読み込んだ天気予報情報９３ａをコンテンツ９３として、読み込んだ過去２４時間及び現在の消費電力量及び発電電力量をコンテンツ９４として、読み込んだ投稿記事をコンテンツ９５としてポータルサイトに含めて、据付端末装置７０に送信する。そのポータルサイトが据付端末装置７０に受信されると、そのポータルサイトが据付端末装置７０に表示される。なお、アナライザー６６Ａ及び月間提言設定部６７の処理が無効化された場合、提言が設定されず、更に送信されないので、コンテンツ９２における提言が空白となる。
【０１００】
〔計測気象データの常時アナライザー（判別手段）６６Ｂとしての処理〕
サーバー装置５１がアナライザー６６Ａとしての判別を行うタイミングが据付端末装置７０のアクセスの際のユーザーアカウントの認証時である。それに対して、サーバー装置５１が常時アナライザー６６Ｂとしての判別を行うタイミングは、気象観測装置３０から計測気象データ及び計測時刻を受信する毎である。つまり、サーバー装置５１は常時アナライザー６６Ｂとしての判別を常時行う。
【０１０１】
サーバー装置５１が常時アナライザー６６Ｂとして行う判別処理は、サーバー装置５１がアナライザー６６Ａとして行う判別処理と同じである。従って、サーバー装置５１は、記憶装置５２に構築されていく計測気象データベース９１ａの計測気象データが所定の条件を満たしている否かを判別し、その所定の条件が充足した場合にはその所定の条件に応じた提言を条件・提言データベース９２ａから読み込む。
【０１０２】
〔送信サーバー（送信手段）６９Ｂとしての処理〕
サーバー装置５１が常時アナライザー６６Ｂとして提言を読み込んだら、その提言を据付端末装置７０に送信する。そうすると、その提言が据付端末装置７０に受信されると、その提言が据付端末装置７０に表示される。つまり、据付端末装置７０にクライアントアプリケーションソフトウェアが組み込まれており、そのクライアントアプリケーションソフトウェアによって送信サーバー６９Ｂとの通信が確立されるとともに、提言がクライアントアプリケーションソフトウェアによって表示される。クライアントアプリケーションソフトウェアと送信サーバー６９Ｂの通信プロトコルや通信形態は特に限定するものではない（例えば、電子メールでもよい）。
【０１０３】
以上に説明した実施の形態によれば、次のような効果が生じる。
（１）  気象観測装置３０の設置箇所の気象データが所定の条件を充足すると、気象に基づく提言が据付端末装置７０や携帯端末装置７５によって出力されるから、その提言を取得したユーザー等がその提言に基づく行動をとることができる。よって、ユーザーの生活の快適性の向上に貢献できる。つまり、気象データは単なる数値だけでしかないため、ユーザーが気温等の気象データだけを知り得てもその気象データに応じた対策をとることができない虞があるが、気象に基づく提言がユーザーに提供されれば、ユーザーがその提言を受けて何らかの対策或いは行動をとることができる。
【０１０４】
（２）  具体例１では、雨が降り始めたら、その旨がユーザーに通知されるため、ユーザーが降雨に応じた行動をとることができる。
【０１０５】
（３）  具体例２では、冬場等において寒さが所定期間続けば、凍結の旨がユーザーに通知されるため、ユーザーが凍結防止の対策をとることができる。
【０１０６】
（４）  具体例３では、強い風が所定期間の間に断続的に続けば、強風注意の旨等がユーザーに通知されるため、ユーザーが強風に対する対策をとることができる。
【０１０７】
（５）  具体例４では、心地よい風が所定期間の間に断続的に続けば、その旨等がユーザーに通知されるため、ユーザーが心地よい風を有効に利用することができる。
【０１０８】
（６）  具体例５では、例えば心地よい東風が所定期間の間に断続的に続けば、その旨等がユーザーに通知されるため、ユーザーが心地よい東風を有効に利用することができる。例えば、東側の窓の開放をユーザーに催促することができる。
【０１０９】
（７）  具体例６では、ヒトが汗をかきにくい環境になれば、寒い旨がユーザーに通知されるため、ユーザーがそれを受けて厚着をする等の対策をとることができる。
【０１１０】
（８）  具体例７では、ヒトが汗をかきやすい環境になれば、暑い旨がユーザーに通知されるため、ユーザーがそれを受けて薄着をする等の対策をとることができる。
【０１１１】
（９）  夏から冬へ移り変わる季節では、ヒトの肌が冬の環境に慣れていないため、乾燥肌等のトラブルが発生しやすい。具体例８では、ヒトの肌が乾燥しやすくトラブルの発生しやすい環境になれば、肌の乾燥に注意すべき旨がユーザーに通知されるため、ユーザーがそれを受けて肌の保湿等の対策をとることができる。
【０１１２】
（１０）  乾燥した日は火災等が発生しやすい。具体例９では、乾燥した環境になると、その旨がユーザーに通知されて、ユーザーが乾燥に対する対策をとることができるとともに、火の元に注意しやすくなる。
【０１１３】
（１１）  具体例１０では、夏から冬に移り変わる季節において寒い日が続けば、衣替えの旨がユーザーに通知されるため、ユーザーが衣類の冬支度を行うことができる。
【０１１４】
（１２）  具体例１１では、冬から夏に移り変わる季節において暖かい日が続けば、衣替えの旨がユーザーに通知されるため、ユーザーが衣類の春支度・夏支度を行うことができる。
【０１１５】
（１３）  具体例１２では、夏から冬に移り変わる季節において寒い日が続けば、暖房器具の準備の催促がユーザーにされるため、ユーザーが暖房器具の準備を行うことができる。
【０１１６】
（１４）  具体例１３では、冬から夏に移り変わる季節において暖かい日が続けば、暖房器具の収納の催促がユーザーにされるため、ユーザーが暖房器具の収納を行うことができる。
【０１１７】
（１５）  雨の降らない日が続くと、乾燥によって塵等が舞いやすい。具体例１３では、雨の降らない日が続くと、打ち水の催促がユーザーにされるため、ユーザーが打ち水を行って塵の舞い上がりに対する対策を行うことができる。
【０１１８】
（１６）  具体例１５，１６，１７では、風邪、感冒又はインフルエンザの発生しやすい環境になれば、風邪、感冒又はインフルエンザに注意すべき旨がユーザーに通知されるため、ユーザーが風邪、感冒又はインフルエンザ等に対する対策をとることができる。
【０１１９】
（１７）  建物Ａの住人が建物Ａに居なければ、外出していることであり、気象に応じた提言が住人にとって不要となる。そのような場合には、建物Ａに設置された据付端末装置７０に提言が送信されないので、ユーザーにとって煩わしさがなくなる。
【０１２０】
（１８）  ユーザーがポータルサイトを閲覧すれば、ユーザーがそのコンテンツ９１〜９５の提供を受ける。逆を言えば、ユーザーが意識してポータルサイトを閲覧しない限り、コンテンツ９２に係る提言がユーザーに提供されない。よって、ユーザーにとっては煩わしさがない。
【０１２１】
（１９）  ユーザーがポータルサイトを閲覧すれば、コンテンツ９２に係る提言のみならず、投稿記事、天気予報及び電力量等の情報がユーザーに提供されるので、ポータルサイトがユーザーにとって興味深いものとなる。
【符号の説明】
【０１２２】
３０  気象観測装置
５１  サーバー装置
５２  記憶装置
５３  プログラム
６１  データロガー（蓄積手段）
６６Ａ  アナライザー（判別手段）
６６Ｂ  常時アナライザー（判別手段）
６９Ａ  サーバー（送信手段）
６９Ｂ  送信サーバー（送信手段）
７０  据付端末装置
７５  携帯端末装置
９１ａ  気象データベース
【図１】
2015212657.tif 000003
【図２】
2015212657.tif 000004
【図３】
2015212657.tif 000005
【図４】
2015212657.tif 000006
【図５】
2015212657.tif 000007